(57)【要約】【課題】バケット全体の軽量化を図るとともに、バケットの構造を簡易化し、低コスト化できるバケット搭載用油圧ユニットを提供すること。【解決手段】バケットに搭載して使用される油圧ユニットであって、正逆転駆動可能な電動モータ１と、この電動モータ１の回転軸が接続される入力軸２ａ及び電動モータ１の正逆転駆動に合わせて選択的に回転する２つの出力軸２ｂ、２ｃを有するギヤボックス２と、このギヤボックス２の出力軸２ｂ、２ｃがそれぞれ接続され、電動モータ１の正逆転駆動に合わせて選択的に作動油を吐出するようにした２台の油圧ポンプ３ａ、３ｂとを備え、これらの油圧ポンプ３ａ、３ｂから吐出される作動油が作動油路を介してバケットの開閉操作を行う油圧シリンダ１０に供給されるようにする。【選択図】図１
2015107862.tif 000002
【特許請求の範囲】
【請求項１】
バケットに搭載して使用される油圧ユニットであって、正逆転駆動可能な電動モータと、該電動モータの回転軸が接続される入力軸及び電動モータの正逆転駆動に合わせて選択的に回転する２つの出力軸を有するギヤボックスと、該ギヤボックスの出力軸がそれぞれ接続され、前記電動モータの正逆転駆動に合わせて選択的に作動油を吐出するようにした２台の油圧ポンプとを備え、該油圧ポンプから吐出される作動油が作動油路を介してバケットの開閉操作を行う油圧シリンダに供給されるようにしてなることを特徴とするバケット搭載用油圧ユニット。
【請求項２】
前記油圧ポンプに、可変容量型油圧ポンプを用いたことを特徴とする請求項１記載のバケット搭載用油圧ユニット。
【発明の詳細な説明】
【技術分野】
【０００１】
本発明は、油圧ユニットに関し、特に、バケットに搭載して使用される油圧ユニットに関するものである。
【背景技術】
【０００２】
従来、石炭、砂利、鉱石、ごみ等のばら物を掴み上げ、放出する作業を行うために、ばら物を掴むようにしたバケットを、ワイヤロープによって吊り下げるようにしたクレーンが汎用されている。
【０００３】
ところで、この種のクレーンに吊り下げるようにしたバケットの開閉操作を行うために、バケットに油圧ユニットを搭載するようにしている（例えば、特許文献１参照。）。
【０００４】
この油圧ユニットは、バケットの開閉操作を行うための１対の油圧シリンダを伸縮動作させるように、具体的には、電動モータによって油圧ポンプを駆動し、この油圧ポンプから吐出される作動油を電磁方向制御弁を介して油圧シリンダに選択的に供給して、油圧シリンダを伸縮動作させ、これによって、バケットの開閉操作を行うように構成されている。
【先行技術文献】
【特許文献】
【０００５】
【特許文献１】特開平９−１９４１８４号公報
【発明の概要】
【発明が解決しようとする課題】
【０００６】
ところで、上記従来のバケットに搭載して使用される油圧ユニットは、作動油を油圧シリンダに選択的に供給するために、重量が大きく、かつ、電気配線が必要な電磁方向制御弁を必要とし、このため、バケット全体の重量が大きくなるとともに、バケットの構造が複雑となり、製造やメンテナンスに手数を要するため、高コストになるという問題があった。
【０００７】
本発明は、上記従来のバケットに搭載して使用される油圧ユニットの有する問題点に鑑み、バケット全体の軽量化を図るとともに、バケットの構造を簡易化し、低コスト化できるバケット搭載用油圧ユニットを提供することを目的とする。
【課題を解決するための手段】
【０００８】
上記目的を達成するため、本発明のバケット搭載用油圧ユニットは、バケットに搭載して使用される油圧ユニットであって、正逆転駆動可能な電動モータと、該電動モータの回転軸が接続される入力軸及び電動モータの正逆転駆動に合わせて選択的に回転する２つの出力軸を有するギヤボックスと、該ギヤボックスの出力軸がそれぞれ接続され、前記電動モータの正逆転駆動に合わせて選択的に作動油を吐出するようにした２台の油圧ポンプとを備え、該油圧ポンプから吐出される作動油が作動油路を介してバケットの開閉操作を行う油圧シリンダに供給されるようにしてなることを特徴とする。
【０００９】
この場合において、前記油圧ポンプに、可変容量型油圧ポンプを用いることができる。
【発明の効果】
【００１０】
本発明のバケット搭載用油圧ユニットによれば、重量が大きく、かつ、電気配線が必要な電磁方向制御弁及び油圧ポンプに代えて、ギヤボックス及び２台の油圧ポンプを用いることにより、バケット全体の軽量化を図るとともに、バケットの構造を簡易化し、低コスト化したバケット搭載用油圧ユニットを提供することができる。
【００１１】
また、油圧ポンプに、可変容量型油圧ポンプを用いることにより、作動油の流量を適正に保つことによって、作動油の温度上昇を抑制することができ、これにより、作動油の量を減らすことが可能となり、これによっても、バケット全体の軽量化を図ることができる。
【図面の簡単な説明】
【００１２】
【図１】本発明のバケット搭載用油圧ユニットの一実施例を示す油圧回路の構成図である。
【図２】本発明のバケット搭載用油圧ユニットによりバケットを閉動作させる場合の油圧回路の構成図である。
【図３】本発明のバケット搭載用油圧ユニットによりバケットを開動作させる場合の油圧回路の構成図である。
【発明を実施するための形態】
【００１３】
以下、本発明のバケット搭載用油圧ユニットの実施の形態を、図面に基づいて説明する。
【００１４】
図１に、本発明のバケット搭載用油圧ユニットの一実施例を示す。
このバケット搭載用油圧ユニットは、例えば、クレーンにワイヤロープによって吊り下げられるバケットに搭載して使用され、バケットの開閉操作を行うための１対の油圧シリンダ１０を伸縮動作させるためのもので、正逆転駆動可能な電動モータ１と、この電動モータ１の回転軸が接続される入力軸２ａ及び電動モータ１の正逆転駆動に合わせて選択的に回転する２つの出力軸２ｂ、２ｃを有するギヤボックス２と、このギヤボックス２の出力軸２ｂ、２ｃがそれぞれ接続され、電動モータ１の正逆転駆動に合わせて選択的に作動油を吐出するようにした２台の油圧ポンプ３ａ、３ｂとを備え、これらの油圧ポンプ３ａ、３ｂから吐出される作動油が作動油路を介してバケットの開閉操作を行う油圧シリンダ１０に供給されるようにしている。
【００１５】
そして、作動油路には、作動油タンク５から供給される作動油を清浄に保つサクションフィルタ４を備え、さらに、作動油の流れを制御するチェック弁６、可変絞り弁７、パイロットチェック弁８及びカウンタバランス弁９を備えるようにしている。
【００１６】
ここで、ギヤボックス２は、電動モータ１の正逆転駆動に合わせて２つの出力軸２ｂ、２ｃの一方のみを選択的に回転する機能を備えたもので、例えば、ラチェット機構やワンウェイクラッチ機構等からなる、一方向だけに駆動し、逆方向には空転する機構をもった公知の動力伝達機構を備えたものを用いることができる。
【００１７】
また、油圧ポンプ３ａ、３ｂには、可変容量型油圧ポンプ、例えば、自己吐出圧力が設定圧になると斜板の傾きにより作動油の吐出量を制御する斜板式可変容量型ピストンポンプ等の可変容量型油圧ポンプを好適に用いることができる。
このように、可変容量型油圧ポンプを用いることにより、作動油の流量を適正に保つことによって、作動油の温度上昇を抑制することができ、これにより、作動油の量を減らすことが可能となり、バケット全体の軽量化を図ることができる。
【００１８】
次に、このバケット搭載用油圧ユニットを用いて、バケットを閉動作させる場合について、図２を用いて説明する。
電動モータ１を正転駆動させると（図中（１））、この電動モータ１の回転軸が接続されるギヤボックス２の入力軸２ａから一方の出力軸２ｂのみに回転力が伝達され、出力軸２ｂが接続された油圧ポンプ３ａが回転駆動され、図２において、Ａラインに下から上に向けての作動油の流れが発生し（図中（２））、作動油が、作動油路を介して、油圧シリンダ１０のヘッド側ポートに供給される（図中（３））。
そして、Ａラインの圧力でＴラインのパイロットチェック弁８及びカウンタバランス弁９が開かれる（図中（４）及び（５））。
一方、油圧シリンダ１０のロッド側ポートから、作動油が、作動油路を介して、作動油タンク５に戻る（図中（６））。
このようにして、油圧ポンプ３ａから吐出された作動油は、作動油路を介して、油圧シリンダ１０のヘッド側ポートに供給され、バケットが閉動作され、閉状態が維持される。
【００１９】
次に、このバケット搭載用油圧ユニットを用いて、バケットを開動作させる場合について、図３を用いて説明する。
電動モータ１を逆転駆動させると（図中（１））、この電動モータ１の回転軸が接続されるギヤボックス２の入力軸２ａから他方の出力軸２ｃのみに回転力が伝達され、出力軸２ｃが接続された油圧ポンプ３ｂが回転駆動され、図３において、Ｂラインに下から上に向けての作動油の流れが発生し（図中（２））、作動油が、作動油路を介して、油圧シリンダ１０のロッド側ポートに供給される（図中（３））。
このようにして、油圧ポンプ３ａから吐出された作動油は、作動油路を介して、油圧シリンダ１０のヘッド側ポートに供給され、バケットが閉動作され、閉状態が維持される。
そして、Ｂラインの圧力でＴラインのパイロットチェック弁８が開かれる（図中（４））。
一方、油圧シリンダ１０のヘッド側ポートから、作動油が、作動油路を介して、作動油タンク５に戻る（図中（５））。
このようにして、油圧ポンプ３ｂから吐出された作動油は、作動油路を介して、油圧シリンダ１０のロッド側ポートに供給され、バケットが開動作され、開状態が維持される。
【００２０】
以上、本発明のバケット搭載用油圧ユニットについて、その実施例に基づいて説明したが、本発明は上記実施例に記載した構成に限定されるものではなく、その趣旨を逸脱しない範囲において適宜その構成を変更することができるものである。
【産業上の利用可能性】
【００２１】
本発明のバケット搭載用油圧ユニットは、バケット全体の軽量化を図るとともに、バケットの構造を簡易化し、低コスト化できることから、クレーンにワイヤロープによって吊り下げられるバケットに搭載して使用される油圧ユニットの用途に好適に用いることができる。
【符号の説明】
【００２２】
１  電動モータ
２  ギヤボックス
２ａ  入力軸
２ｂ  出力軸
２ｃ  出力軸
３ａ  油圧ポンプ（可変容量型油圧ポンプ）
３ｂ  油圧ポンプ（可変容量型油圧ポンプ）
４  サクションフィルタ
５  作動油タンク
６  チェック弁
７  可変絞り弁
８  パイロットチェック弁
９  カウンタバランス弁
１０  油圧シリンダ
【図２】
2015107862.tif 000003
【図１】
2015107862.tif 000004
【図３】
2015107862.tif 000005